(57)【要約】      （修正有）【課題】動きやすい状態を維持しつつも、激しく動き回った場合でもより安定的に装着でき、安全な足袋を提供する。【解決手段】底部材２と、甲部材３と、を有し、甲部材３は、第一趾収納部と、第一趾収納部と密着された第二乃至第五趾収納部と、脛保護領域部に付されたファスナーと、ファスナーを覆う面ファスナーを備えたファスナー保護部材と、を有することを特徴とする。なおこの場合において、底部材２周囲と甲部材３の接続部周辺を覆う保護部材を備えていることがよく、また、ファスナーは伸縮性能ある布部材にファスナー部材が固定されたものであることがよい。【選択図】図１
0003179029.tif 000002
【実用新案登録請求の範囲】
【請求項１】
底部材と、甲部材と、を有し、
前記甲部材は、第一趾収納部と、前記第一趾収納部と密着された第二乃至第五趾収納部と、脛保護領域部に付されたファスナーと、前記ファスナーを覆う面ファスナーを備えたファスナー保護部材と、を有する足袋。
【請求項２】
前記底部材周囲と前記甲部材の接続部周辺を覆う保護部材を備えた請求項１記載の足袋。
【請求項３】
前記ファスナーは伸縮性能ある布状部材にファスナー部材が固定されたものである請求項１記載の足袋。
【考案の詳細な説明】
【技術分野】
【０００１】
本考案は、足袋に関する。
【背景技術】
【０００２】
足袋は、足に履く伝統的な日本の衣類であって、例えば工事の際用いるだけでなく、例えば舞台上又は路上等において踊りの際身につけるものである。更に、通常の歩行等においても好適に用いることができるものである。
【０００３】
また足袋は、通常、底部とこの底部周囲に配置され足首を覆う甲部とを有するものであるが、非常に軽く、かつ柔らかく、足により密着させて履くことができるものであり、細やかな動きが可能となるといった利点がある。
【０００４】
例えば、足袋に関する技術としては、例えば、下記特許文献１に記載がある。
【先行技術文献】
【特許文献】
【０００５】
【特許文献１】特開２００６−０８１５８３号公報
【考案の開示】
【考案が解決しようとする課題】
【０００６】
しかしながら、上記文献に記載の足袋のように、通常の足袋は、先端が母趾（第一趾）を収納するための収納部と、第二趾から第五趾までを収納するための収納部に分かれており、歩行の際、第一趾に力を入れやすくすることができるものの、第一趾が自由に動きすぎるため、第一趾が地面に引っかかることで転倒してしまう虞がある。特に舞台上又は祭り等路上における踊りなどにおいて激しく動き回る場合、この虞が強くなってしまう。
【０００７】
また、舞台上又は祭り等路上における踊りの際、素早く足を動かすが、この際、舞台上又は路上に置かれた物に足をぶつけてしまう場合があり、このような場合に通常の足袋では足の保護において課題が残る。
【０００８】
さらに、足袋は一般に着脱の際、甲部材の側部に切込みが形成され、この切込みがこはぜ（鞐）と掛け糸の組を複数備えることで開閉可能となっているが、こはぜの場合、激しい動きだけでなく、外部部材との接触によって脱離してしまう虞があるといった課題もある。この脱離は、足袋の足に対する密着性を低下させるため、装着における安定性、更には安全性に課題を残す。
【０００９】
そこで、本考案は、上記課題を鑑み、動きやすい状態を維持しつつも、激しく動き回った場合でもより安定的に装着でき、安全な足袋を提供することを目的とする。
【課題を解決するための手段】
【００１０】
上記課題を解決するための一観点にかかる足袋は、底部材と、甲部材と、を有し、甲部材は、第一趾収納部と、第一趾収納部と密着された第二乃至第五趾収納部と、脛保護領域部に付されたファスナーと、ファスナーを覆う面ファスナーを備えたファスナー保護部材と、を有することを特徴とする。
【００１１】
また本観点において、底部材周囲と前記甲部材の接続部周辺を覆う保護部材を備えていることが好ましい。
【００１２】
また本観点において、ファスナーは伸縮性能ある布部材にファスナー部材が固定されたものであることが好ましい。
【考案の効果】
【００１３】
以上、本考案により、動きやすい状態を維持しつつも、激しく動き回った場合でもより安定的に装着でき、安全な足袋を提供することができる。
【図面の簡単な説明】
【００１４】
【図１】実施形態にかかる足袋の概略を示す図である。
【図２】実施形態にかかる足袋の概略を示す図である。
【考案を実施するための最良の形態】
【００１５】
以下、本考案の実施形態について図面を参照しつつ説明する。ただし、本考案は多くの異なる態様で実施することが可能であり、以下に示す実施形態に限定されるものではない。なお、本明細書においては同一又は同様の機能を有する部分には同一の符号を付し、その繰り返しの説明は省略する。
【００１６】
図１、２は、本実施形態にかかる足袋（以下「本足袋」という。）１の一例を示す図である。これらの図で示すように、本足袋１は、底部材２と、甲部材３と、を有し手構成されており、さらに甲部材３は、第一趾収納部３１と、第一趾収納部３１と密着された第二乃至第五趾収納部３２と、脛保護領域部３３に付されたファスナー３４と、ファスナーを覆う面ファスナーを備えたファスナー保護部材３５と、を有している。また、本足袋１には、底部材２の周囲と甲部材３の接続部周辺を覆う保護部材３６、を備えている。なお図１は、ファスナー保護部材３５を開いた状態の図を、図２は、ファスナー保護部材３５を開いた状態の図をそれぞれ示す。
【００１７】
本実施形態において底部材２は、人の足を乗せる部分であり、歩く際に人の足の裏を保護するためのものである。材質としては、軽量であることがこのましく、様々なものを使用することができるが、例えば地面に接する部分がゴムでできており、人の足に接する部分が布等でできていることが好ましい。
【００１８】
また底部材２の形状は、使用者の足の形状にあっていれば特に限定されるわけではないが、つま先の部分が、第一趾（母趾）を配置する部分と第一趾以外の指（第二乃至第五趾）を配置する部分に分かれていることが好ましい。ただし、本足袋では、上記のとおり先端部において第一趾収納部３１と第二乃至第五趾収納部３２が密着した状態となっているため、先端が上記のように分かれていなくても良い。
【００１９】
本実施形態において甲部材３とは、底部材２の周囲に配置されるとともに、足首及び脛の周りを覆うことができるものである。これにより、足袋１を足にフィットさせることができる。甲部材３は、主に一体で形成されているが、足の側面及び甲を保護する甲保護領域部３７と、足首から脛部を保護する脛保護領域部３３に分けることができる。
【００２０】
本実施形態にかかる甲部材３は、脛保護領域部３３において切込みが形成され、この切込みにはファスナー３４が配置されている。これによって、足袋後方において甲部材３に切れ目を入れて足に装着しやすくなる一方、装着後の装着性能を高く維持することができる。特に本足袋ではファスナーを用いるため、より装着性を高めることができる。なお、甲部材３は、限定されるわけではないが、内甲部と外甲部とに分けて構成されていることが製造を容易とする観点から好ましい。
【００２１】
本実施形態において、甲部材３は布によって構成されていることが好ましい。このようにすることで軽量であることを確保することができる。なおこの布の厚さ（後述の被覆部材３２の場合も同様）としては、限定されるわけではないが０．５ｍｍ以上３ｍｍ以下であることが好ましく、より好ましくは１．５ｍｍ以下である。
【００２２】
また本実施形態において、後部剤３の脛保護領域部３３には、ファスナー３４が設けられているとともに、このファスナー３４を保護するためのファスナー保護部材３５を備えている。このファスナー保護部材３５はファスナー３４の外側を覆い、ファスナーに直接外部部材が接触することでファスナー３４が壊れてしまうこと、更には外部からの衝撃を緩和することができる。
【００２３】
ファスナー保護部材３５の形状は、ファスナー３４を覆い保護することができる限りにおいて形状は特に限定されるわけではないが、ファスナー３４の開閉方向（切れ目方向）に対して略平行な一対の辺を有する四角形状であることが好ましく、一辺は足袋に縫い付けられている一方、この辺に対向する辺に面ファスナー３５１が付されていることが好ましく、また、先端が角部となっており、その角部に面ファスナーが付された三角形状も好ましい。このような構成とすることで、ファスナー保護部材自体の脱離を防止しつつファスナーの保護が容易となる。
【００２４】
本実施形態において、足袋の各部、より具体的には甲部材には、装飾を施しても良い。装飾を施すことで美観を高めることが可能となるとともに、脛保護領域部３３の強度を高くし、足を保護することができるようになる。特に本実施形態では、ファスナー保護部材を設けているため、ファスナーを保護するだけでなく、この部分に装飾を施すことが可能となり、よりデザインの自由度をあげることができるようになる。
【００２５】
またこのファスナー保護部材３５の材質は、上記の機能を有する限りにおいて限定されるわけではないが、例えば甲部材を構成する布部材と同じ部材を用いることもできるし、平ゴムであっても良い。ここで平ゴムとは、ゴムを芯としてこの周囲に糸を組んだ細紐を用い組み合わせて布状にしたものをいう。
【００２６】
また本実施形態において、ファスナー３４は伸縮性能ある布状部材３４１にファスナー部材３４２が固定されたものであることが好ましい。本足袋の甲部材は伸縮性の少ない布部材で構成されており、足に対する密着性を向上させている一方で、足に装着する際、きつくなり装着しにくくなってしまう場合がある。そのため、伸縮性能ある布部材３４１にファスナー部材３４２を取り付けることで、足への密着性を向上させることができる一方で、装着の際の伸縮性も優れたものとなる。なお、伸縮性能のある布状部材としては限定されるわけではないが、平ゴムであることが好ましい。
【００２７】
また本実施形態において、甲部材３の甲保護領域部３７は、第一趾収納部３１と、第二乃至第五趾収納部３２が形成されており、第一趾収納部３１と第二乃至第五趾収納部３２が密着されている。これにより、舞台上又は祭り等路上における踊りの際、第一趾に力を加えることができる程度に第一趾を自由に動かせる一方、第一趾の開きすぎを防止し、舞台上又は路上に置かれた物に第一趾をぶつけてしまうおそれを少なくし、足の保護を十分に図ることができる。第一趾収納部３１と第二乃至第五趾収納部３２を密着させる方法としては、特に限定されるわけではないが縫い合わせでも良く、また、接着剤による接着であってもよい。
【００２８】
また本足袋においては、底部材周囲と甲部材の接続部周辺を覆う保護部材を備えている。この保護部材を設けることで上記の第一趾収納部３１と、第二乃至第五趾収納部３２の密着をより高めることができる。
【００２９】
以上、本考案により、動きやすい状態を維持しつつも、激しく動き回った場合でもより安定的に装着でき、安全な足袋を提供することができる。本考案に係る足袋は、例えば工事の際用いるだけでなく、例えば舞台上又は路上等において踊りの際身につけるものである。更に、通常の歩行等においても好適に用いることができる。なお、甲部材、ファスナー保護部材には装飾を施すことが可能となり、足袋全体のデザインの自由度を高くすることができるようになっている。
【産業上の利用可能性】
【００３０】
本考案は、足袋として産業条の利用可能性がある。
【符号の説明】
【００３１】
１…足袋、２…底部材、３…甲部材
【図１】
0003179029.tif 000003
【図２】
0003179029.tif 000004